(57)【要約】【課題】衝撃の負荷によって表示板そのものが弾性変形しても、窓枠部材が表示板より脱落せず、表示板に大きな力学的負荷をかけずに、窓枠部材を表示板に強固に固定でき、強度的にも優れ、しかも、美観が良好で、高級感を有した表示板を提供する。【解決手段】窓枠開口部を有する基板を備えた表示板であって、窓枠開口部の外周上面に配置された金属製の窓枠部材と、窓枠開口部の内壁を覆う被覆層とを備える。【選択図】図３
2008249497.tif 000002
【特許請求の範囲】
【請求項１】
窓枠開口部を有する基板を備えた表示板であって、
前記窓枠開口部の外周上面に配置された金属製の飾り縁と、
前記窓枠開口部の内壁を覆う被覆層と
を備えることを特徴とする表示板。
【請求項２】
前記被覆層が、飾り縁の視認面の色調である金属外観と同色色調である金属外観を呈することを特徴とする請求項１に記載の表示板。
【請求項３】
前記被覆層が、メタリック塗装、メタリック印刷、メッキから選択した少なくとも一つの手段によって形成されていることを特徴とする請求項２に記載の表示板。
【請求項４】
前記表示板の窓枠開口部の外周下面に、金属色調の補助被覆層が形成されていることを特徴とする請求項１から３のいずれかに記載の表示板。
【請求項５】
前記補助被覆層が、飾り縁の視認面の色調である金属外観と同色色調である金属外観を呈することを特徴とする請求項１から４のいずれかに記載の表示板。
【請求項６】
前記補助被覆層が、メタリック塗装、メタリック印刷、メッキから選択した少なくとも一つの手段によって形成されていることを特徴とする請求項５に記載の表示板。
【請求項７】
前記窓枠開口部の内壁が、飾り縁から離間する方向に開口サイズが小さくなるように傾斜面を形成していることを特徴とする請求項１から６のいずれかに記載の表示板。
【請求項８】
前記被覆層が、少なくとも飾り縁に対応する領域まで、窓枠開口部の外周上面を覆うように延設されていることを特徴とする請求項１から７のいずれかに記載の表示板。
【請求項９】
前記飾り縁が、接合層を介して、窓枠開口部の外周上面に取り付けられていることを特徴とする請求項１から８のいずれかに記載の表示板。
【請求項１０】
前記接合層が、接着剤、粘着剤から選択した少なくとも一つの接合層から構成されていることを特徴とする請求項９に記載の表示板。
【請求項１１】
前記金属製の飾り縁が、転写メッキ層から構成されていることを特徴とする請求項９から１０のいずれかに記載の表示板。
【請求項１２】
前記窓枠開口部の外周に、上面方向に突設した段部が形成され、飾り縁が段部の上面に配置されていることを特徴とする請求項１から１１のいずれかに記載の表示板。
【請求項１３】
前記表示板が、ソーラー発電装置の上方に配置される表示板であって、
前記ソーラー発電装置の上方に配置され、外部からの光を透過可能な透光性基板に窓枠開口部が形成されていることを特徴とする請求項１から１２のいずれかに記載の表示板。
【請求項１４】
請求項１から１３のいずれかに記載の窓枠開口部を有する基板を備えた表示板の製造方法であって、
前記窓枠開口部の内壁を被覆層で覆う工程と、
前記窓枠開口部の外周上面に金属製の飾り縁を配置する工程と、
を備えることを特徴とする表示板の製造方法。
【請求項１５】
前記窓枠開口部の内壁を、メタリック塗装、メタリック印刷、メッキから選択した少なくとも一つの手段によって被覆層で覆うことを特徴とする請求項１４に記載の表示板の製造方法。
【発明の詳細な説明】
【技術分野】
【０００１】
本発明は、例えば、時計用の表示板、卓上計算機、自動車、飛行機の計器パネル、携帯電話などのモバイル機器などの機器類の表示板であって、曜日や日付などの指標を表示するための窓枠開口部を有する基板を備えた表示板に関する。
【０００２】
また、本発明は、例えば、ソーラーセル（太陽電池）からなるソーラー発電装置を備えたソーラー時計、ソーラー発電装置を使った卓上計算機などのソーラーセル機器類に用いられ、ソーラー発電装置の上方に配置されるる表示板であって、日付などの指標を表示するための窓枠開口部を有する基板を備えた表示板に関する。
【背景技術】
【０００３】
近年、ソーラーセル機器、特に、時計においては、ソーラーセル（太陽電池）からなるソーラー発電装置を備え、このソーラー発電装置が発電した電力によって駆動されるソーラー時計が市場を大きく占めるようになっている。
【０００４】
このようなソーラー時計用の表示板（文字板）では、受光した光を透過させて、その下面側に配設したソーラー発電装置に発電機能を起こさせるように構成されている。
従って、ソーラー時計用の表示板は、少なくともソーラー発電装置の発電に寄与する波長域の外部の光を透過して、ソーラー発電装置に起電力を付与するため、ある程度の光の透過性が要求され、透光性である必要がある。
【０００５】
このため、ソーラー時計用の表示板を構成する基板は、例えば、合成樹脂、紙、布などの軟質材料や、ガラスなどのセラミックに代表される脆性材料によって、透明または半透明の部品として製造されている。
【０００６】
一方、このソーラー時計用の表示板には、例えば、曜日や日付などの指標を表示するカレンダー表示部を上部より視認できるように、窓枠開口部の外周を囲むように窓枠部材が配置されている。
【０００７】
この場合、窓枠部材は、表示板を観るユーザーに美観と高級感を与えるという理由から金属製であることが望まれており、このような金属製の窓枠部材を、軟質材料や脆性材料の表示板に確実に固定する手段が、従来より、種々提案されており、例えば、金属製の窓枠部材を、軟質材料や脆性材料の表示板に、圧入やカシメなどの方法で固定することが行われている。
【０００８】
しかしながら、圧入やカシメなどの方法では、金属製の窓枠部材を表示板に強固に固定することができなかったため、例えば、大きな衝撃が表示板に負荷された場合に、窓枠部材が表示板から脱落してしまうおそれがあった。
【０００９】
このため、従来より、特許文献１（特開２００１−４２０５５号公報）では、図１１〜図１３に示したように、表示板１００を構成する軟質材料や脆性材料の基板１０２の窓枠開口部１０４の内壁１０６に、金属製の窓枠部材１０８が食い付き固定する構造が提案されている。
【００１０】
すなわち、窓枠部材１０８は、窓枠開口部１０４内に挿入される枠本体部１１０と、この枠本体部１１０の上方に連続する飾り縁１０１から成る。枠本体部１１０の外周には、外方に突設する突起部１１２が形成される。飾り縁１０１は、枠本体部１１０より平面方
向に沿ってフランジ状に延出し、窓枠開口部１０４を通過できない大きさに形成される。枠本体部１１０と飾り縁１０１は、共に上下方向に沿ってくり貫かれ、枠本体部１１０と飾り縁１０１を上下に貫通する貫通窓１０３が形成される。
【００１１】
窓枠部材１０８は、次のように、基板１０２に固定される。
窓枠部材１０８の枠本体部１１０が、基板１０２の窓枠開口部１０４内に挿入される。これにより、枠本体部１１０の突起部１１２が、窓枠開口部１０４の内壁１０６に没入して（食い付いて）、枠本体部１１０が窓枠開口部１０４内に固定される。飾り縁１０１は、基板１０２の上面に接触して、基板１０２の上方に位置する。
【００１２】
時計を観る観察者は、窓枠部材１０８の貫通窓１０３を通して、例えば、基板１０２の下方に稼動するカレンダー表示部の日付や曜日を読みとる。ここで、観察者の目に触れる部分は、カレンダー表示部の日付や曜日を囲む飾り縁１０１の上面、および貫通窓１０３の内壁である。この場合、飾り縁１０１の上面、および貫通窓１０３の内壁が金属であるため、観察者に高級感のある美観が与えられる。
【００１３】
窓枠開口部１０４を貫通する貫通部１１０の外周に、外方に突設する突起部１１２を形成して、この突起部１１２が窓枠開口部１０４の内壁１０６に没入して（食い付いて）、窓枠部材１０８が窓枠開口部１０４に固定されるように構成されている。
【特許文献１】特開２００１−４２０５５号公報
【発明の開示】
【発明が解決しようとする課題】
【００１４】
しかしながら、特許文献１の表示板１００では、基板１０２が軟質材料から成る場合、窓枠部材１０８の突起部１１２が、窓枠開口部１０４の内壁１０６に没入すると、窓枠開口部１０４の周囲に歪が生じて、窓枠開口部１０４の周囲が変色したり、はなはだしい場合には、塑性変形する場合もあり、その結果、表示板１００の美観が著しく損なわれることになっていた。
【００１５】
また、外部から表示板１００に対して、大きな衝撃力が負荷されると、基板１０２自体が弾性変形するため、窓枠部材１０８の突起部１１２が、窓枠開口部１０４の内壁１０６より抜け落ちてしまうことになる。その結果、衝撃によって窓枠部材１０８が基板１０２から脱落してしまうことが多かった。
【００１６】
一方、基板１０２が脆性材料から成る場合、窓枠部材１０８の突起部１１２が、窓枠開口部１０４の内壁１０６に没入すると、脆性材料から成る表示板では、窓枠開口部１０４の周囲にクラックが生じやすく、はなはだしい場合には、窓枠開口部１０４の周囲が破損損傷したり、欠けることがあり、その結果、表示板１００の美観が著しく損なわれることになっていた。
【００１７】
本発明は、このような現状に鑑み、衝撃の負荷によって表示板そのものが弾性変形しても、窓枠部材が表示板より脱落せず、表示板に大きな力学的負荷をかけずに、窓枠部材を表示板に強固に固定でき、強度的にも優れ、しかも、美観が良好で、高級感を有した表示板を提供することを目的とする。
【課題を解決するための手段】
【００１８】
本発明は、前述したような従来技術における課題及び目的を達成するために発明されたものであって、本発明の表示板は、窓枠開口部を有する基板を備えた表示板であって、
前記窓枠開口部の外周上面に配置された金属製の飾り縁と、
前記窓枠開口部の内壁を覆う被覆層と
を備えることを特徴とする。
【００１９】
なお、本明細書中、「上下方向」とは、図１において、紙面の手前側を上方向、紙面の奥側を下方向として意味する。従って、上面とは、腕時計を手首に装着した状態において、外方に露出する面であり、下面とは、同状態において手首と相対する面である。
【００２０】
また、「平面方向」とは、上下方向に直交する方向であって、図１において、上下方向を意味するものであり、平面方向が、バンドの長手方向、または、バンドの幅方向と重複する場合もある。
【００２１】
このように構成することによって、従来の窓枠部材における金属製の飾り縁を窓枠開口部の外周上面に配置し、窓枠開口部の内壁を被覆層で覆うだけで、金属製の飾り縁と被覆層によって金属外観を呈する窓枠が窓枠開口部に構成されることになり、観察者に金属外観を呈する窓枠が視認されることになる。これは、窓枠開口部の内壁の被覆層が、従来の窓枠部材における枠本体部の内壁に錯覚されるためである。観察者は、窓枠開口部の内壁の被覆層を、あたかも枠本体部が基板に埋め込まれているかのように錯覚する。
【００２２】
従って、表示板を構成する基板が軟質材料から成る場合であっても、基板に負荷がかかることがないので、周囲に歪が生じることがなく、窓枠開口部の周囲が変色せず、塑性変形する場合もなく、表示板の美観が損なわれることもない。
【００２３】
また、表示板を構成する基板が脆性材料から成る場合であっても、基板に負荷がかかることがないので、窓枠開口部の周囲にクラックが生じることがなく、窓枠開口部の周囲が破損損傷することもなく、欠けることもなく、表示板の美観が損なわれることもない。
【００２４】
従って、衝撃の負荷によって基板そのものが弾性変形しても、窓枠部材が基板より脱落せず、基板に大きな力学的負荷をかけずに、窓枠部材を表示板に強固に固定でき、強度的にも優れ、しかも、美観が良好で、高級感を有した表示板を提供することができる。
【００２５】
また、飾り縁は、窓枠開口部を囲む枠体であり、窓枠開口部へと連通する飾り縁開口部を備えるのが望ましい。この飾り縁開口部の内壁面は、窓枠開口部の内壁面、特に被覆層の表面と、ほぼ連続する面を構成することが好ましい。このように構成することによって、観察者は、飾り縁開口部の内壁と被覆層とが成す連続面を、従来の窓枠部材の貫通窓の内壁に錯覚しやすくなる。
【００２６】
これにより、従来の窓枠部材における枠本体部が存在しないにもかかわらず、あたかも枠本体部が埋め込まれているかのように、観察者に視認させることができる。
この飾り縁は、軟質材料、あるいは脆性材料から成る基板に力学的な負荷をかけないように、貼着されることが好ましい。
【００２７】
また、本発明の表示板は、前記被覆層が、窓枠部材の視認面の色調である金属外観と同色色調である金属外観を呈することを特徴とする。
ここで、「視認面」とは、外面のうち、観察者に視認される領域を言う。
【００２８】
このように構成することによって、窓枠開口部に金属製の窓枠部材と、窓枠部材の視認面の色調である金属外観と同色色調である金属外観を呈する被覆層によって、全体として金属外観を呈する窓枠が構成されることになり、観察者に金属外観を呈する窓枠が視認されることになる。これは、観察者が、窓枠開口部の内壁の被覆層を、あたかも金属製の枠本体部が基板に埋め込まれているかのように錯覚するためである。これにより、金属製の飾り窓と、金属製の枠本体部から成る、従来の金属製の窓枠部材が基板に取り付けられて
いるかのように、観察者は錯覚する。
【００２９】
また、ここで、「同色色調」とは、窓枠部材と被覆層との色調とが、共に同じ色調と認識され得る範囲内にあることを意味し、その色調の濃淡や明暗など、色調の外観上の風合いが完全に一致することに限定されない。例えば、濃い金色、薄い金色、明るい金色、または暗い金色は、ここではすべて金色の同色色調とされる。
【００３０】
例えば、窓枠部材が明るい金色色調であり、被覆層が暗い金色色調であろうとも、窓枠部材と被覆層の視認面が金色の同色色調を呈すれば、全体として金属外観を呈する窓枠が構成されることになり、観察者に金属外観を呈する窓枠が視認されることになる。
【００３１】
この場合、窓枠開口部を有する基板を備えた表示板は、軟質材料、あるいは脆性材料より成る透光性基板から構成されているのが、例えば、ソーラーセル（太陽電池）からなるソーラー発電装置を備えたソーラー時計、ソーラー発電装置を使った卓上計算機などのソーラーセル機器類に用いられ、ソーラー発電装置の上方に配置される表示板として用いる場合には、受光した光を透過させて、その下面側に配設したソーラー発電装置に発電機能を起こさせるためには望ましい。
【００３２】
また、表示板を構成する基板の厚さとしては、３０μｍ〜１０００μｍであるのが望ましく、厚さがこのような範囲にあれば、例えば、腕時計用の表示板として用いる場合に、時計を薄くするために、基板の厚さを薄くしても機械的強度が低下することなく、加工することができる。また、基板の厚さが厚すぎて、時計の針が揺動することなく、正確な時間を指示することができるとともに、時計自体の厚さをコンパクトにすることができる。
【００３３】
さらに、基板の厚さがこのような範囲にあれば、例えば、ソーラー時計用表示板などのソーラー機器類の表示板として用いた場合にも、光透過率が低下することなく、発電に寄与することができ、機器類の駆動力などを確保することができるとともに、表示板の下方に配置されたソーラーセルの境界線である十字線や、濃紫色を消し去り、ソーラーセルの色調が視認されないようにすることができる。
【００３４】
なお、基板は、上記の軟質材料、脆性材料を平面的、または多層に組み合わせて形成したものであっても良い。
また、窓枠開口部の内壁を覆う被覆層の膜厚は、ソーラー発電装置の上方に配置される表示板として用いる場合には、受光した光を透過させて、その下面側に配設したソーラー発電装置に発電機能を起こさせるためには、透過性を持たせるために１５０Å〜５００Åの厚みに設定する。そして、この厚みの範囲内で単一層、または、２層以上の多層の被覆層を設ければ良い。
【００３５】
さらに、基板を構成する軟質材料としては、特に限定されるものではないが、例えば、合成樹脂、紙、布などを用いることができる。また、基板を構成する脆性材料としては、特に限定されるものではないが、例えば、七宝、ガラスなどのセラミック、白蝶貝などの貝などを用いることができる。
【００３６】
一方、金属製の窓枠部材を構成する材料としては、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【００３７】
また、本発明の表示板は、前記被覆層が、メタリック塗装、メタリック印刷、メッキから選択した少なくとも一つの手段によって形成されていることを特徴とする。
このように被覆層が、メタリック塗装、メタリック印刷、メッキから選択した少なくと
も一つの手段によって形成されていれば、被覆層が、より金属外観を呈することいなって、全体として金属外観を呈する窓枠が構成されることになり、観察者に金属外観を呈する窓枠が視認される。
【００３８】
すなわち、金属製の窓枠部材の視認面と同じような金属外観を得るために、例えば、被覆層は、金属製の窓枠部材と同色色調のメタリック塗装、メタリック印刷による塗装被膜または印刷被膜に被覆されてもよい。このメタリック塗装、メタリック印刷による塗装被膜または印刷被膜として、例えば、メタリック顔料が混入されたメタリック塗装、メタリック印刷による塗装被膜または印刷被膜が採用される。
【００３９】
例えば、ステンレス色を得るためには、鉄、クロム、ニッケル、モリブデンなどを成分とするステンレス顔料が含有されたメタリック塗装、メタリック印刷による塗装被膜または印刷被膜が被覆される。
【００４０】
また、例えば、金色を得るためには、銅、亜鉛、鉄などを成分とするブロンズ顔料が含有されたメタリック塗装、メタリック印刷による塗装被膜または印刷被膜が被覆される。
または、例えば、銀色を得るためには、アルミニウムを成分とするアルミニウム顔料、またはニッケルを成分とするニッケル顔料が含有されたメタリック塗装、メタリック印刷による塗装被膜または印刷被膜が被覆される。
【００４１】
これら以外にも、パール顔料や、グラファイト顔料、フタロシャニンフレークなど、様々な顔料が採用されても良い。
また、メッキとしては、例えば、真空蒸着、イオンプレーティング法、スパッタリング法などの乾式メッキを採用することができ、メッキの材料として、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉの中の元素またはこれらの元素の合金、または、これらの元素もしくはこれらの元素の合金の窒化膜、酸化膜、炭化膜またはこれらの混合膜などを好適に適用できるものとして選択する。
【００４２】
乾式メッキにより金属被膜が採用される場合、この金属被膜の厚みは１５０〜５００Åであることが好ましい。このような範囲に金属被膜の厚みがあれば、この金属被膜は、観察者に金属外観を与えると共に、ソーラーセルの発電に寄与する波長域の外光を部分的に透過させる。これにより、金属被膜を被覆した場合あであっても、金属被膜によってソーラーセルの発電を阻害することが少ない。
【００４３】
すなわち、これらの金属は、時計部品の表面処理には良く使われる金属で、これらの金属を使うことにより時計としての耐触性や外観装飾に良い結果が得られる。また、これらの金属は、比較的反射率が高いので材料の金属色が視認され易い。また、これらの金属は上記で述べた基板を形成する合成樹脂などの軟質材料、セラミック、貝などに対しても密着性などの点で良い効果が得られる。また、これらの金属の窒化膜、酸化膜、炭化膜またはこれらの混合膜なども同じ効果を得ることができる。
【００４４】
また、これらのメタリック塗装、メタリック印刷、メッキによる塗装被膜、印刷被膜、メッキ被膜の表面に、表面保護層を設けることができる。
例えば、Ａｕ金属からなる被覆層の表面に、青色の顔料で薄く青色に着色した表面保護層を形成することによって、Ａｕ金属は耐触性に強いのでそれ自体で保護層を設ける必要はないが、Ａｕ金属被覆層の損傷などの防止と、赤味がかった光沢のある金色色調を少し変える目的で薄く青色に着色した表面保護層を設けることができる。
【００４５】
すなわち、赤味がかった光沢のある金色色調を呈する被覆層の上に薄い青色色調の表面保護層を設けると、僅かに青味を帯びた金色色調が得られる。一般的に、金色にも赤金と
か青金と呼ばれる色調があり、赤金とは赤味の帯びた色調を指しており、青金とは青味を帯びた色調を指している。このように、薄い青色着色を施した表面保護層を設けて赤味を帯びた金色色調を青味の帯びた金色色調に変えることができる。また、この表面保護層によって光沢性も僅かに薄れたものとすることができる。
【００４６】
また、この表面保護膜層は、例えば、ウレタン樹脂に青色顔料を０．０５重量％  配合して塗料化し、吹き付け塗装方法で約１０μｍの厚みに形成すれば良い。厚みが薄いために透過率も極端に下がることなく全体の透過率としては３０％とすることができる。
【００４７】
また、Ａｇ金属からなる被覆層の表面に、表面保護膜層としては、ＭｇＯ、ＴｉＯ2、
ＳｉＯ2、ＳｉＯ、ＺｒＯ2、Ａｌ2Ｏ3などの金属酸化物を、真空蒸着などによって真空蒸着することによって形成することができる。
【００４８】
この場合、蒸着機のチャンバー内の蒸着時の圧力は、１×１０-6〜５×１０-5  ｔｏｒｒ（１．３３×１０-4〜６．６５×１０-3  Ｐａ）で行うのが好ましい。金属酸化物被膜の膜厚としては、光透過率および保護膜としての保護機能、機械的強度などを考慮すれば、５００〜１００００Å、好ましくは、１０００〜５０００Åとするのが望ましい。すなわち、膜厚が５００Åより薄ければ、保護膜としての保護機能が良好でなく、１００００Åより厚ければ、膜が脆くなり機械的強度が良好でないからである。
【００４９】
なお、被覆層の表面に表面保護膜層として、金属酸化物被膜を形成する方法としては、このような真空蒸着の他、ドライメッキとして、イオンプレーティング法、または、スパッタリング法を用いることが可能である。
【００５０】
なお、窓枠開口部の内壁を覆う被覆層を形成する工程は以下の通りである。
先ず、基板の窓枠開口部の内壁上に下地塗装被膜が被覆される。次いで、この下地塗装被膜の上にメタリック塗装、メタリック印刷、メッキによる塗装被膜、印刷被膜、メッキ被膜が被覆される。さらに、このメタリック塗装、メタリック印刷による塗装被膜または印刷被膜の上に、必要に応じて、透明、または半透明な合成樹脂層であるクリアコートが被覆され、被覆層が形成される。
【００５１】
また、本発明の表示板は、前記表示板の窓枠開口部の外周下面に、金属色調の補助被覆層が形成されていることを特徴とする。
このように構成することによって、例えば、基板の窓枠開口部の内壁を覆う被覆層が部分的に欠落した場合にも、透光性基板から構成されている基板を介して、窓枠開口部の外周下面に形成された金属色調の補助被覆層が観察者に視認されることになり、金属外観を呈することになって、全体として金属外観を呈する窓枠が構成されることになり、観察者に金属外観を呈する窓枠が視認される。
【００５２】
好ましい実施形態において、補助被覆層は、基板の下面（裏面）であって、窓枠開口部を囲むように被覆される。たとえば、補助被覆層は、飾り縁と相似形状を成すように中空の枠形状に被覆され得る。これにより、被覆層のいかなる箇所に欠落が生じようとも、補助被覆層は、その欠落を補うことができる。
【００５３】
好ましい実施形態において、補助被覆層は、上面視において、飾り縁よりはみ出さない範囲において被覆される。たとえば、補助被覆層は、飾り縁と相似形状を成すように、かつ飾り縁より小さく被覆される。
【００５４】
なぜならば、補助被覆層が、上面視において、飾り縁からはみ出してしまうと、飾り縁の外形を越えた補助被覆層の「はみ出し部分」が、上面視で観察者に視認されてしまうの
で、表示板の美観が損なわれるためである。
【００５５】
また、本発明の表示板は、前記補助被覆層が、飾り縁の視認面の色調である金属外観と同色色調である金属外観を呈することを特徴とする。
このように構成することによって、窓枠開口部に金属製の飾り縁と、飾り縁の視認面の色調である金属外観と同色色調である金属外観を呈する被覆層と、飾り縁の視認面の色調である金属外観と同色色調である補助被覆層によって、全体として金属外観を呈する窓枠が構成されることになり、観察者に金属外観を呈する窓枠が視認されることになる。
【００５６】
また、本発明の表示板は、前記補助被覆層が、メタリック塗装、メタリック印刷、メッキから選択した少なくとも一つの手段によって形成されていることを特徴とする。
このように補助被覆層が、メタリック塗装、メタリック印刷、メッキから選択した少なくとも一つの手段によって形成されていれば、補助被覆層が、より金属外観を呈することいなって、全体として金属外観を呈する窓枠が構成されることになり、観察者に金属外観を呈する窓枠が視認される。
【００５７】
なお、この場合、補助被覆層のメタリック塗装、メタリック印刷、メッキとしては、上記の基板の窓枠開口部の内壁を覆う被覆層と同様な材料、方法によって形成することができる。
【００５８】
また、補助被覆層の表面にも、基板の窓枠開口部の内壁を覆う被覆層の表面に形成した表面保護膜層と同様な材料、方法によって表面保護膜層を形成することができる。
なお、補助被覆層の色調は、基板の窓枠開口部の内壁を覆う被覆層よりも濃い目の色調を選択することによって、透光性基板から構成されている基板を介して、濃い目の色調の補助被覆層が、窓枠開口部の内壁を覆う被覆層と同等の金属色調として、観察者に視認されることになり、金属外観を呈することになって、全体として金属外観を呈する窓枠が構成されることになり、観察者に金属外観を呈する窓枠が視認される。
【００５９】
また、本発明の表示板は、前記窓枠開口部の内壁が、飾り縁から離間する方向に開口サイズが小さくなるように傾斜面を形成していることを特徴とする。たとえば、窓枠開口部の内壁は、基板の上面から下面に向かうにつれて、徐々に内側に向けて窄むように傾斜する。たとえば、窓枠開口部の内壁は、底面が上面より小さい円錐台や角錐台の側面を成すように形成される。
【００６０】
このように構成することによって、上記のように窓枠開口部の内壁に、メタリック塗装、メタリック印刷、メッキを施すことが容易となり、しかも、この傾斜面上に形成された被覆層が観察者に視認し易くなり、窓枠開口部に金属製の飾り縁と被覆層によって金属外観を呈する窓枠が構成されることになり、より観察者に金属外観を呈する窓枠が視認されることになる。
【００６１】
また、本発明の表示板は、前記被覆層が、少なくとも飾り縁に対応する領域まで、窓枠開口部の外周上面を覆うように延設されていることを特徴とする。
このように構成することによって、例えば、飾り縁の窓枠開口部の外周上面への配置位置がずれたとしても、飾り縁の周囲にこの被覆層が存在することになるので、窓枠開口部に金属製の窓枠部材と被覆層によって金属外観を呈する窓枠が一体的に構成されることになり、より観察者に金属外観を呈する窓枠が視認されることになる。
【００６２】
また、本発明の表示板は、前記飾り縁が、接合層を介して、窓枠開口部の外周上面に取り付けられていることを特徴とする。
また、本発明の表示板は、前記接合層が、接着剤、粘着剤から選択した少なくとも一つ
の接合層から構成されていることを特徴とする。
【００６３】
このように窓枠部材が、接着剤、粘着剤から選択した少なくとも一つの接合層を介して、窓枠開口部の外周上面に取り付けられているので、窓枠部材を基板の窓枠開口部の外周上面に正確にしかも強固に取り付けることができる。
【００６４】
従って、衝撃の負荷によって基板そのものが弾性変形しても、窓枠部材が基板より脱落せず、基板に大きな力学的負荷をかけずに、窓枠部材を表示板に強固に固定でき、強度的にも優れ、しかも、美観が良好で、高級感を有した表示板を提供することができる。
【００６５】
また、本発明の表示板は、前記金属製の飾り縁が、転写メッキ層から構成されていることを特徴とする。
このように構成することによって、メッキを転写することによって、簡単な工程で容易に、飾り窓を形成することができる。
【００６６】
このような転写メッキは、は、一般的に下記の手順で行われるものである。
先ず、図６（ａ）に示されるように、仮基板４０上の、目的とされる飾り窓２８に対応する形状以外の面に、スクリーン印刷によるマスキング４２を施し、このマスキング４２以外の場所、すなわち飾り窓２８の部分に、クロム酸水溶液等を塗布し、クロム酸化膜を形成し、離型剤４４とする。
【００６７】
次に、図６（ｂ）に示されるように、上記仮基板４０上に金属メッキを施し、飾り窓２８の形状の金属メッキ被膜４６を形成し、続いて、図６（ｃ）に示されるように、マスキング４２を有機溶剤等で除去する。すると仮基板４０上には離型剤４４を介して飾り窓２８に対応する形状の金属メッキ被膜４６が残っている状態になる。
【００６８】
この状態の仮基板４０上に弱粘着性の粘着テープ４８を貼り付け、剥ぎ取ると、図６（ｄ）に示されるように、飾り窓２８に対応する形状の金属メッキ被膜４６が粘着テープ４８側に付着する。このとき、クロム酸化膜により金属メッキ被膜４６を容易に仮基板４０から剥離することができる。
【００６９】
続いて金属メッキ被膜４６の下面の離型剤４４が付着している面に接着剤５０を塗布する。この状態の粘着テープ４８を基板２０上の目的とする位置に貼り付け、剥ぎ取ると、粘着テープ４８の粘着性より接着剤５０の接着力が強いため、図６（ｅ）に示されるように、基板２０上に金属メッキ被膜４６からなる飾り窓２８が形成される。
【００７０】
また、本発明の表示板は、前記窓枠開口部の外周に、上面方向に突設した段部が形成され、飾り縁が段部の上面に配置されていることを特徴とする。
このように窓枠開口部の外周に、上面方向に突設した段部が形成され、窓枠部材を段部の上面に配置することによって、窓枠部材に立体感を付与することができ、表示板の美観、高級感などを付与することができる。特に、上述のように飾り縁が転写メッキ層から形成される場合、従来の窓枠部材における飾り縁と同等の厚み（上下方向に沿った高さ）を得ることが難しい。しかしながら、転写メッキ層から形成された薄い飾り縁を採用した場合にも、この段部によって、飾り縁を従来と同じ厚みに錯覚させることができる。
【００７１】
この段部は、合成樹脂やセラミックなどの材料を使って基板が射出成形される場合、その射出成形により基板と一体に形成されてもよい。このように構成することによって、極めて容易に基板に段部が形成され得る。
【００７２】
また、本発明の表示板は、前記表示板が、ソーラー発電装置の上方に配置される表示板
であって、
前記ソーラー発電装置の上方に配置され、外部からの光を透過可能な透光性基板に窓枠開口部が形成されていることを特徴とする。
【００７３】
また、本発明の表示板の製造方法は、上記のいずれかに記載の窓枠開口部を有する基板を備えた表示板の製造方法であって、
前記窓枠開口部の内壁を被覆層で覆う工程と、
前記窓枠開口部の外周上面に金属製の飾り縁を配置する工程と、
を備えることを特徴とする。
【００７４】
また、本発明の表示板の製造方法は、前記窓枠開口部の内壁を、メタリック塗装、メタリック印刷、メッキから選択した少なくとも一つの手段によって被覆層で覆うことを特徴とする。
【００７５】
このように構成することによって、窓枠開口部に金属製の飾り縁と被覆層によって金属外観を呈する窓枠が構成されることになり、より観察者に金属外観を呈する窓枠が視認されることになる。
【００７６】
従って、衝撃の負荷によって基板そのものが弾性変形しても、窓枠部材が基板より脱落せず、基板に大きな力学的負荷をかけずに、窓枠部材を表示板に強固に固定でき、強度的にも優れ、しかも、美観が良好で、高級感を有した表示板を簡単容易に提供することができる。
【発明の効果】
【００７７】
本発明によれば、従来の窓枠部材における金属製の飾り縁を窓枠開口部の外周上面に配置し、窓枠開口部の内壁を被覆層で覆うだけで、金属製の飾り縁と被覆層によって金属外観を呈する窓枠が窓枠開口部に構成されることになり、観察者に金属外観を呈する窓枠が視認されることになる。これは、窓枠開口部の内壁の被覆層が、従来の窓枠部材における枠本体部の内壁に錯覚されるためである。観察者は、窓枠開口部の内壁の被覆層を、あたかも枠本体部が基板に埋め込まれているかのように錯覚する。
【００７８】
従って、表示板を構成する基板が軟質材料から成る場合であっても、基板に負荷がかかることがないので、周囲に歪が生じることがなく、窓枠開口部の周囲が変色せず、塑性変形する場合もなく、表示板の美観が損なわれることもない。
【００７９】
また、表示板を構成する基板が脆性材料から成る場合であっても、基板に負荷がかかることがないので、窓枠開口部の周囲にクラックが生じることがなく、窓枠開口部の周囲が破損損傷することもなく、欠けることもなく、表示板の美観が損なわれることもない。
【００８０】
従って、衝撃の負荷によって基板そのものが弾性変形しても、窓枠部材が基板より脱落せず、基板に大きな力学的負荷をかけずに、窓枠部材を表示板に強固に固定でき、強度的にも優れ、しかも、美観が良好で、高級感を有した表示板を提供することができる。
【発明を実施するための最良の形態】
【００８１】
以下、本発明の実施の形態（実施例）を図面に基づいてより詳細に説明する。
（実施例１）
図１は、本発明の表示板を、ソーラーセル（太陽電池）からなるソーラー発電装置を備えたソーラー腕時計に組み込んだ状態を説明する上面図、図２は、図１の部分拡大上面図、図３は、図２のA−A線での断面図、図４は、本発明の表示板の製造工程を説明する図３と同様な断面図、図５は、本発明の表示板の製造工程を説明する図３と同様な断面図である。
【００８２】
なお、図１の上面図では、説明の便宜上、ムーブメント、ソーラーセルなどの構成部品を省略して図示している。以下の図面においても同様である。
図１において、符号１０は、全体で本発明の表示板を組み込んだソーラー腕時計を示している。
【００８３】
図１に示したように、ソーラー腕時計１０は、ハウジング１２を備えている。
このハウジング１２は、金属製の略円筒形状の枠体を構成する時計ケース１４と、時計ケース１４の下面開口部を覆うように密封状態で装着される金属製の裏蓋（図示せず）と、この時計ケースの上面開口部を覆うように、密封状態で装着される風防（ガラス）１６とを備えている。
【００８４】
このハウジング１２内には、時計駆動部を構成するムーブメント（図示せず）と、このムーブメントの上面に配置され、ムーブメントを光の起電力によって駆動するためのソーラーセル（図示せず）を備えている。
【００８５】
また、このソーラーセルの上面には、ソーラーセルの発電に寄与する波長の外光を、少なくともムーブメントの駆動に足るだけ透過させる透光機能を有する本発明の表示板（文字板）１８を備えている。
【００８６】
なお、図１、図２中、符号１１は、時針を、１３は、分針を示しており、ムーブメントより突出して、ソーラーセルと表示板１８とを貫通する針軸１５に取り付けられ、これら分針と時針とは、表示板１８と風防１６との間に位置して時刻を表示するようになっている。また、図１において、符号１７は、バンド取り付け部を示している。
【００８７】
この表示板１８は、図１、図２に示したように、外部からの光を透過可能な透光性の基板２０を有している。そして、この基板２０には、例えば、曜日や日付などの指標を表示するカレンダー表示部１９を上部より視認できるように、この実施例では略矩形状の窓枠開口部２２が形成されている。
【００８８】
また、窓枠開口部２２の基板２０の外周上面２４に、接合層２６を介して、略矩形枠形状の金属製の飾り窓２８が取り付けられている。この場合、図３に示したように、窓枠開口部２２の外周に、上面方向に突設した段部３０が形成され、飾り窓２８が段部３０の上面に配置されている。
【００８９】
このように窓枠開口部２２の外周に、上面方向に突設した段部３０が形成され、飾り窓２８を段部３０の上面に配置することによって、飾り窓２８に立体感を付与することができ、表示板１８の美観、高級感などを付与することができる。特に、上述のように飾り縁が転写メッキ層から形成される場合、従来の窓枠部材における飾り縁と同等の厚み（上下方向に沿った高さ）を得ることが難しい。しかしながら、転写メッキ層から形成された薄い飾り縁を採用した場合にも、この段部によって、飾り縁を従来と同じ厚みに錯覚させることができる。
【００９０】
この段部は、合成樹脂やセラミックなどの材料を使って基板が射出成形される場合、その射出成形により基板と一体に形成されてもよい。このように構成することによって、極めて容易に基板に段部が形成され得る。
【００９１】
なお、もちろん、このような段部３０を形成しないで、窓枠開口部２２の基板２０の外周上面２４に、接合層２６を介して、略矩形枠形状の金属製の飾り窓２８が取り付けるこ
ともできる。
【００９２】
この場合、接合層２６が、接着剤、粘着剤から選択した少なくとも一つの接合層から構成されているのが望ましい。
このように飾り窓２８が、接着剤、粘着剤から選択した少なくとも一つの接合層２６を介して、窓枠開口部２２の外周上面２４に取り付けられているので、飾り窓２８を基板２０の窓枠開口部２２の外周上面２４に正確にしかも強固に取り付けることができる。
【００９３】
従って、衝撃の負荷によって基板２０そのものが弾性変形しても、飾り窓２８が基板２０より脱落せず、基板２０に大きな力学的負荷をかけずに、飾り窓２８を基板２０に強固に固定でき、強度的にも優れ、しかも、美観が良好で、高級感を有した表示板１８を提供することができる。
【００９４】
一方、窓枠開口部２２の内壁３２には、内壁３２を覆うように被覆層３４が形成されている。
このように構成することによって、窓枠開口部２２の内壁３２を被覆層３４で覆い、金属製の飾り窓２８を窓枠開口部２２の基板２０外周上面２４に配置するだけで、窓枠開口部２２に金属製の飾り窓２８と被覆層３４によって金属外観を呈する窓枠３６が構成されることになり、観察者に金属外観を呈する窓枠３６が視認されることになる。
【００９５】
このように構成することによって、従来の窓枠部材における金属製の飾り縁２８を窓枠開口部２２の外周上面２４に配置し、窓枠開口部２２の内壁３２を被覆層３４で覆うだけで、金属製の飾り縁２８と被覆層３４によって金属外観を呈する窓枠３６が窓枠開口部２２に構成されることになり、観察者に金属外観を呈する窓枠３６が視認されることになる。これは、窓枠開口部２２の内壁３２の被覆層３４が、従来の窓枠部材における枠本体部の内壁に錯覚されるためである。観察者は、窓枠開口部２２の内壁の３２被覆層３４を、あたかも枠本体部が基板に埋め込まれているかのように錯覚する。
【００９６】
従って、表示板１８を構成する基板２０が軟質材料から成る場合であっても、基板２０に負荷がかかることがないので、周囲に歪が生じることがなく、窓枠開口部２２の周囲が変色せず、塑性変形する場合もなく、表示板１８の美観が損なわれることもない。
【００９７】
また、表示板１８を構成する基板２０が脆性材料から成る場合であっても、基板２０に負荷がかかることがないので、窓枠開口部２２の周囲にクラックが生じることがなく、窓枠開口部２２の周囲が破損損傷することもなく、欠けることもなく、表示板１８の美観が損なわれることもない。
【００９８】
従って、衝撃の負荷によって基板２０そのものが弾性変形しても、飾り窓２８が基板２０より脱落せず、基板２０に大きな力学的負荷をかけずに、飾り窓２８を基板２０に強固に固定でき、強度的にも優れ、しかも、美観が良好で、高級感を有した表示板１８を提供することができる。
【００９９】
また、飾り縁２８は、窓枠開口部２２を囲む枠体であり、窓枠開口部２２へと連通する飾り縁開口部２９を備えるのが望ましい。この飾り縁開口部２９の内壁面２９ａは、窓枠開口部２２の内壁面３２、特に被覆層３４の表面と、ほぼ連続する面を構成することが好ましい。このように構成することによって、観察者は、飾り縁開口部２９の内壁２９ａと被覆層とが成す連続面を、従来の窓枠部材の貫通窓の内壁に錯覚しやすくなる。
【０１００】
これにより、従来の窓枠部材における枠本体部が存在しないにもかかわらず、あたかも枠本体部が埋め込まれているかのように、観察者に視認させることができる。
この飾り縁２８は、軟質材料、あるいは脆性材料から成る基板に力学的な負荷をかけないように、貼着されることが好ましい。
【０１０１】
また、この場合、表示板１８は、被覆層３４が、飾り窓２８の視認面の色調である金属外観と同色色調である金属外観を呈するのが望ましい。ここで、「視認面」とは、外面のうち、観察者に視認される領域を言う。
【０１０２】
このように構成することによって、窓枠開口部２２に金属製の飾り窓２８と、飾り窓２８の視認面の色調である金属外観と同色色調である金属外観を呈する被覆層３４によって、全体として金属外観を呈する窓枠３６が構成されることになり、観察者に金属外観を呈する窓枠３６が視認されることになる。
【０１０３】
これは、観察者が、窓枠開口部２２の内壁３２の被覆層３４を、あたかも金属製の枠本体部が基板に埋め込まれているかのように錯覚するためである。これにより、金属製の飾り窓３８と、金属製の枠本体部から成る、従来の金属製の窓枠部材が基板に取り付けられているかのように、観察者は錯覚する。
【０１０４】
また、ここで、「同色色調」とは、窓枠部材と被覆層との色調とが、共に同じ色調と認識され得る範囲内にあることを意味し、その色調の濃淡や明暗など、色調の外観上の風合いが完全に一致することに限定されない。例えば、濃い金色、薄い金色、明るい金色、または暗い金色は、ここではすべて金色の同色色調とされる。
【０１０５】
例えば、窓枠部材が明るい金色色調であり、被覆層が暗い金色色調であろうとも、窓枠部材と被覆層の視認面が金色の同色色調を呈すれば、全体として金属外観を呈する窓枠が構成されることになり、観察者に金属外観を呈する窓枠が視認されることになる。
【０１０６】
この場合、窓枠開口部２２を有する基板２０を備えた表示板１８は、軟質材料、あるいは脆性材料より成る透光性基板から構成されているのが、例えば、ソーラーセル（太陽電池）からなるソーラー発電装置を備えたソーラー時計、ソーラー発電装置を使った卓上計算機などのソーラーセル機器類に用いられ、ソーラー発電装置の上方に配置される表示板として用いる場合には、受光した光を透過させて、その下面側に配設したソーラー発電装置に発電機能を起こさせるためには望ましい。
【０１０７】
また、表示板１８を構成する基板２０の厚さとしては、３０μｍ〜１０００μｍであるのが望ましく、厚さがこのような範囲にあれば、例えば、腕時計用の表示板として用いる場合に、時計を薄くするために、基板２０の厚さを薄くしても機械的強度が低下することなく、加工することができる。また、基板２０の厚さが厚すぎて、時計の針が揺動することなく、正確な時間を指示することができるとともに、時計自体の厚さをコンパクトにすることができる。
【０１０８】
さらに、基板２０の厚さがこのような範囲にあれば、例えば、ソーラー時計用表示板などのソーラー機器類の表示板として用いた場合にも、光透過率が低下することなく、発電に寄与することができ、機器類の駆動力などを確保することができるとともに、表示板１８の下方に配置されたソーラーセルの境界線である十字線や、濃紫色を消し去り、ソーラーセルの色調が視認されないようにすることができる。
【０１０９】
なお、基板２０は、上記の軟質材料、脆性材料を平面的、または多層に組み合わせて形成したものであっても良い。
また、窓枠開口部２２の内壁３２を覆う被覆層３４の膜厚は、ソーラー発電装置の上方に配置される表示板として用いる場合には、受光した光を透過させて、その下面側に配設
したソーラー発電装置に発電機能を起こさせるためには、透過性を持たせるために１５０Å〜５００Åの厚みに設定する。そして、この厚みの範囲内で単一層、または、２層以上の多層の被覆層を設ければ良い。
【０１１０】
さらに、基板２０を構成する軟質材料としては、特に限定されるものではないが、例えば、合成樹脂、紙、布などを用いることができる。また、基板を構成する脆性材料としては、特に限定されるものではないが、例えば、七宝、ガラスなどのセラミック、白蝶貝などの貝などを用いることができる。
【０１１１】
一方、金属製の飾り窓２８を構成する材料としては、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【０１１２】
また、本発明の表示板１８は、被覆層３４が、メタリック塗装、メタリック印刷、メッキから選択した少なくとも一つの手段によって形成されているのが望ましい。
このように被覆層３４が、メタリック塗装、メタリック印刷、メッキから選択した少なくとも一つの手段によって形成されていれば、被覆層３４が、より金属外観を呈することいなって、全体として金属外観を呈する窓枠３６が構成されることになり、観察者に金属外観を呈する窓枠３６が視認される。
【０１１３】
すなわち、金属製の飾り窓２８の視認面と同じような金属外観を得るために、例えば、被覆層３４は、金属製の飾り窓２８と同色色調のメタリック塗装、メタリック印刷による塗装被膜または印刷被膜に被覆されてもよい。このメタリック塗装、メタリック印刷による塗装被膜または印刷被膜として、例えば、メタリック顔料が混入されたメタリック塗装、メタリック印刷による塗装被膜または印刷被膜が採用される。
【０１１４】
例えば、ステンレス色を得るためには、鉄、クロム、ニッケル、モリブデンなどを成分とするステンレス顔料が含有されたメタリック塗装、メタリック印刷による塗装被膜または印刷被膜が被覆される。
【０１１５】
また、例えば、金色を得るためには、銅、亜鉛、鉄などを成分とするブロンズ顔料が含有されたメタリック塗装、メタリック印刷による塗装被膜または印刷被膜が被覆される。
または、例えば、銀色を得るためには、アルミニウムを成分とするアルミニウム顔料、またはニッケルを成分とするニッケル顔料が含有されたメタリック塗装、メタリック印刷による塗装被膜または印刷被膜が被覆される。
【０１１６】
これら以外にも、パール顔料や、グラファイト顔料、フタロシャニンフレークなど、様々な顔料が採用されても良い。
また、メッキとしては、例えば、真空蒸着、イオンプレーティング法、スパッタリング法などの乾式メッキを採用することができ、メッキの材料として、Ａｕ、Ａｇ、Ａｌ、Ｃｕ、Ｃｏ、Ｃｒ、Ｆｅ、Ｉｎ、Ｎｉ、Ｐｄ、Ｐｔ、Ｒｈ、Ｓｎ、Ｔｉの中の元素またはこれらの元素の合金、または、これらの元素もしくはこれらの元素の合金の窒化膜、酸化膜、炭化膜またはこれらの混合膜などを好適に適用できるものとして選択する。
【０１１７】
乾式メッキにより金属被膜が採用される場合、この金属被膜の厚みは１５０〜５００Åであることが好ましい。このような範囲に金属被膜の厚みがあれば、この金属被膜は、観察者に金属外観を与えると共に、ソーラーセルの発電に寄与する波長域の外光を部分的に透過させる。これにより、金属被膜を被覆した場合あであっても、金属被膜によってソーラーセルの発電を阻害することが少ない。
【０１１８】
すなわち、これらの金属は、時計部品の表面処理には良く使われる金属で、これらの金属を使うことにより時計としての耐触性や外観装飾に良い結果が得られる。また、これらの金属は、比較的反射率が高いので材料の金属色が視認され易い。また、これらの金属は上記で述べた基板を形成する合成樹脂などの軟質材料、セラミック、貝などに対しても密着性などの点で良い効果が得られる。また、これらの金属の窒化膜、酸化膜、炭化膜またはこれらの混合膜なども同じ効果を得ることができる。
【０１１９】
また、これらのメタリック塗装、メタリック印刷、メッキによる塗装被膜、印刷被膜、メッキ被膜の表面に、図示しないが、表面保護層を設けることができる。
例えば、Ａｕ金属からなる被覆層の表面に、青色の顔料で薄く青色に着色した表面保護層を形成することによって、Ａｕ金属は耐触性に強いのでそれ自体で保護層を設ける必要はないが、Ａｕ金属被覆層の損傷などの防止と、赤味がかった光沢のある金色色調を少し変える目的で薄く青色に着色した表面保護層を設けることができる。
【０１２０】
すなわち、赤味がかった光沢のある金色色調を呈する被覆層の上に薄い青色色調の表面保護層を設けると、僅かに青味を帯びた金色色調が得られる。一般的に、金色にも赤金とか青金と呼ばれる色調があり、赤金とは赤味の帯びた色調を指しており、青金とは青味を帯びた色調を指している。このように、薄い青色着色を施した表面保護層を設けて赤味を帯びた金色色調を青味の帯びた金色色調に変えることができる。また、この表面保護層によって光沢性も僅かに薄れたものとすることができる。
【０１２１】
また、この表面保護膜層は、例えば、ウレタン樹脂に青色顔料を０．０５重量％  配合して塗料化し、吹き付け塗装方法で約１０μｍの厚みに形成すれば良い。厚みが薄いために透過率も極端に下がることなく全体の透過率としては３０％とすることができる。
【０１２２】
また、Ａｇ金属からなる被覆層の表面に、表面保護膜層としては、ＭｇＯ、ＴｉＯ2、
ＳｉＯ2、ＳｉＯ、ＺｒＯ2、Ａｌ2Ｏ3などの金属酸化物を、真空蒸着などによって真空蒸着することによって形成することができる。
【０１２３】
この場合、蒸着機のチャンバー内の蒸着時の圧力は、１×１０-6〜５×１０-5  ｔｏｒｒ（１．３３×１０-4〜６．６５×１０-3  Ｐａ）で行うのが好ましい。金属酸化物被膜の膜厚としては、光透過率および保護膜としての保護機能、機械的強度などを考慮すれば、５００〜１００００Å、好ましくは、１０００〜５０００Åとするのが望ましい。すなわち、膜厚が５００Åより薄ければ、保護膜としての保護機能が良好でなく、１００００Åより厚ければ、膜が脆くなり機械的強度が良好でないからである。
【０１２４】
なお、被覆層３４の表面に表面保護膜層として、金属酸化物被膜を形成する方法としては、このような真空蒸着の他、ドライメッキとして、イオンプレーティング法、または、スパッタリング法を用いることが可能である。
【０１２５】
このように構成される表示板１８を製造する方法としては、窓枠開口部２２の内壁３２を被覆層３４で覆う工程と、窓枠開口部２２の外周上面金属製の飾り窓２８を配置する工程とから成る。
【０１２６】
すなわち、窓枠開口部２２の内壁３２を覆う被覆層３４を形成する工程は以下の通りである。
先ず、図４に示した基板２０の窓枠開口部２２の内壁３２上に、図示しない下地塗装被膜が被覆される。次いで、この下地塗装被膜の上にメタリック塗装、メタリック印刷、メッキによる塗装被膜、印刷被膜、メッキ被膜が被覆される。さらに、このメタリック塗装、メタリック印刷による塗装被膜または印刷被膜の上に、必要に応じて、透明、または半透明な合成樹脂層であるクリアコートが被覆され、被覆層３４が形成される（図５参照）。
【０１２７】
そして、このように窓枠開口部２２の内壁３２を覆う被覆層３４が形成された後、図３に示したように、窓枠開口部２２の基板２０の外周上面２４に、すなわち、上面方向に突設した段部３０上に、接合層２６を介して、略矩形枠形状の金属製の飾り窓２８が取り付ければよい。
【０１２８】
なお、この実施例では、表示板１８は、基板２０の窓枠開口部２２の内壁３２が、飾り窓２８から離間する方向に開口サイズが小さくなるように傾斜面３８を形成している。
たとえば、窓枠開口部の内壁は、基板の上面から下面に向かうにつれて、徐々に内側に向けて窄むように傾斜する。たとえば、窓枠開口部の内壁は、底面が上面より小さい円錐台や角錐台の側面を成すように形成される。
【０１２９】
このように構成することによって、上記のように窓枠開口部２２の内壁３２に、メタリック塗装、メタリック印刷、メッキを施すことが容易となり、しかも、この傾斜面３８上に形成された被覆層３４が観察者に視認し易くなり、窓枠開口部２２に金属製の飾り窓２８と被覆層３４によって金属外観を呈する窓枠が構成されることになり、より観察者に金属外観を呈する窓枠が視認されることになる。もちろん、このような傾斜面３８を形成しないこともできる。
【０１３０】
また、本発明の表示板１８は、金属製の飾り窓２８が、転写メッキ層から構成することもできる。このように構成することによって、メッキを転写することによって、簡単な工程で容易に、窓枠部材を形成することができる。
【０１３１】
このような転写メッキは、は、一般的に下記の手順で行われるものである。
先ず、図６（ａ）に示されるように、仮基板４０上の、目的とされる飾り窓２８に対応する形状以外の面に、スクリーン印刷によるマスキング４２を施し、このマスキング４２以外の場所、すなわち飾り窓２８の部分に、クロム酸水溶液等を塗布し、クロム酸化膜を形成し、離型剤４４とする。
【０１３２】
次に、図６（ｂ）に示されるように、上記仮基板４０上に金属メッキを施し、飾り窓２８の形状の金属メッキ被膜４６を形成し、続いて、図６（ｃ）に示されるように、マスキング４２を有機溶剤等で除去する。すると仮基板４０上には離型剤４４を介して飾り窓２８に対応する形状の金属メッキ被膜４６が残っている状態になる。
【０１３３】
この状態の仮基板４０上に弱粘着性の粘着テープ４８を貼り付け、剥ぎ取ると、図６（ｄ）に示されるように、飾り窓２８に対応する形状の金属メッキ被膜４６が粘着テープ４８側に付着する。このとき、クロム酸化膜により金属メッキ被膜４６を容易に仮基板４０から剥離することができる。
【０１３４】
続いて金属メッキ被膜４６の下面の離型剤４４が付着している面に接着剤５０を塗布する。この状態の粘着テープ４８を基板２０上の目的とする位置に貼り付け、剥ぎ取ると、粘着テープ４８の粘着性より接着剤５０の接着力が強いため、図６（ｅ）に示されるように、基板２０上に金属メッキ被膜４６からなる飾り窓２８が形成される。
【０１３５】
なお、この実施例では、略矩形状の窓枠開口部２２が形成され、この窓枠開口部２２の形状に対応して、略矩形枠形状の金属製の飾り窓２８が取り付けられているが、この窓枠開口部２２、飾り窓２８の形状は、このような形状に限定されるものではなく、例えば、
円形、三角形状、多角形状など、表示する指標に応じて適宜決定すればよい。
（実施例２）
図７は、本発明の別の実施例の表示板の図３と同様な断面図である。
【０１３６】
この実施例の表示板１８は、図１〜図５に示した表示板１８と基本的には同様な構成であり、同一の構成部材には、同一の参照番号を付して、その詳細な説明を省略する。
この実施例の表示板１８では、表示板１８の基板２０の窓枠開口部２２の外周下面２１に、金属色調の補助被覆層２３が形成されている。
【０１３７】
このように構成することによって、例えば、基板２０の窓枠開口部２２の内壁３２を覆う被覆層３４が部分的に欠落した場合にも、透光性基板から構成されている基板２０を介して、窓枠開口部２２の外周下面２１に形成された金属色調の補助被覆層２３が観察者に視認されることになり、金属外観を呈することになって、全体として金属外観を呈する窓枠３６が構成されることになり、観察者に金属外観を呈する窓枠３６が視認される。
【０１３８】
図８に示したように、好ましい実施形態において、補助被覆層２３は、基板２０の下面（裏面）であって、窓枠開口部２２を囲むように被覆される。たとえば、補助被覆層２３は、飾り縁２８と相似形状を成すように中空の枠形状に被覆され得る。これにより、被覆層３４のいかなる箇所に欠落が生じようとも、補助被覆層２３は、その欠落を補うことができる。
【０１３９】
好ましい実施形態において、図８に示したように、補助被覆層２３は、上面視において、飾り縁２８よりはみ出さない範囲において被覆される。たとえば、補助被覆層２３は、飾り縁２８と相似形状を成すように、かつ飾り縁２８より小さく被覆される。
【０１４０】
なぜならば、補助被覆層２３が、上面視において、飾り縁２８からはみ出してしまうと、飾り縁２８の外形を越えた補助被覆層２３の「はみ出し部分」が、上面視で観察者に視認されてしまうので、表示板の美観が損なわれるためである。
【０１４１】
また、補助被覆層２３が、飾り窓２８の視認面の色調である金属外観と同色色調である金属外観を呈するのが望ましい。
このように構成することによって、窓枠開口部２２に金属製の飾り窓２８と、飾り窓２８の視認面の色調である金属外観と同色色調である金属外観を呈する被覆層３４と、飾り窓２８の視認面の色調である金属外観と同色色調である補助被覆層２３によって、全体として金属外観を呈する窓枠３６が構成されることになり、観察者に金属外観を呈する窓枠３６が視認されることになる。
【０１４２】
また、補助被覆層２３が、メタリック塗装、メタリック印刷、メッキから選択した少なくとも一つの手段によって形成されているのが望ましい。
このように補助被覆層２３が、メタリック塗装、メタリック印刷、メッキから選択した少なくとも一つの手段によって形成されていれば、補助被覆層２３が、より金属外観を呈することいなって、全体として金属外観を呈する窓枠３６が構成されることになり、観察者に金属外観を呈する窓枠３６が視認される。
【０１４３】
なお、この場合、補助被覆層２３のメタリック塗装、メタリック印刷、メッキとしては、上記の基板２０の窓枠開口部２２の内壁３２を覆う被覆層３４と同様な材料、方法によって形成することができる。
【０１４４】
また、補助被覆層２３の表面にも、基板２０の窓枠開口部２２の内壁３２を覆う被覆層３４の表面に形成した表面保護膜層と同様な材料、方法によって表面保護膜層を形成する
ことができる。
【０１４５】
なお、補助被覆層２３の色調は、基板２０の窓枠開口部２２の内壁３２を覆う被覆層３４よりも濃い目の色調を選択することによって、透光性基板から構成されている基板２０を介して、濃い目の色調の補助被覆層２３が、窓枠開口部２２の内壁３２を覆う被覆層３４と同等の金属色調として、観察者に視認されることになり、金属外観を呈することになって、全体として金属外観を呈する窓枠３６が構成されることになり、観察者に金属外観を呈する窓枠が視認される。
（実施例３）
図９は、本発明の別の実施例の表示板の図３と同様な断面図、図１０は、図９の表示板の製造工程を説明する図３と同様な断面図である。
【０１４６】
この実施例の表示板１８は、図１〜図５に示した表示板１８と基本的には同様な構成であり、同一の構成部材には、同一の参照番号を付して、その詳細な説明を省略する。
この実施例の表示板１８では、図９、図１０に示したように、基板２０の窓枠開口部２２の内壁３２を覆う被覆層３４が、少なくとも飾り窓２８に対応する領域まで、窓枠開口部２２の外周上面２４を覆うように平面的に延設された延設部２５を備えている。
【０１４７】
このように構成することによって、図９で示したように、例えば、飾り窓２８の窓枠開口部２２の外周上面２４への配置位置がずれたとしても、飾り窓２８の周囲にこの被覆層３４の延設部２５が符号２７で示したように存在することになるので、窓枠開口部２２に金属製の飾り窓２８と被覆層３４によって金属外観を呈する窓枠３６が一体的に構成されることになり、より観察者に金属外観を呈する窓枠が視認されることになる。
【０１４８】
このように構成される表示板１８を製造する方法としては、窓枠開口部２２の内壁３２を被覆層３４で覆うとともに、窓枠開口部２２の外周上面２４を覆うように平面的に延設された延設部２５を形成する工程と、窓枠開口部２２の外周上面金属製の窓枠部材を配置する工程とから成る。
【０１４９】
すなわち、窓枠開口部２２の内壁３２を覆う被覆層３４を形成する工程は以下の通りである。
先ず、図４に示した基板２０の窓枠開口部２２の内壁３２上に、図示しない下地塗装被膜が被覆される。次いで、この下地塗装被膜の上にメタリック塗装、メタリック印刷、メッキによる塗装被膜、印刷被膜、メッキ被膜が被覆される（図１０参照）。さらに、このメタリック塗装、メタリック印刷による塗装被膜または印刷被膜の上に、必要に応じて、透明、または半透明な合成樹脂層であるクリアコートが被覆され、被覆層３４、延設部２５が形成される。
【０１５０】
そして、このように窓枠開口部２２の内壁３２を覆う被覆層３４、窓枠開口部２２の外周上面２４を覆うように平面的に延設された延設部２５が形成された後、図９に示したように、窓枠開口部２２の基板２０の外周上面２４に、すなわち、上面方向に突設した段部３０上に、接合層２６を介して、略矩形枠形状の金属製の飾り窓２８が取り付ければよい。
【０１５１】
以上、本発明の好ましい実施の態様を説明してきたが、本発明はこれに限定されることはなく、例えば、上記実施例では、本発明の表示板を、ソーラーセル（太陽電池）からなるソーラー発電装置を備えたソーラー腕時計に適用したが、ソーラー発電装置を使った卓上計算機などのソーラーセル機器類に用いることもできる
さらには、ソーラーセル機器類以外にも、例えば、時計用の表示板、卓上計算機、自動車、飛行機の計器パネル、携帯電話などのモバイル機器などの機器類の表示板としても用
いることも可能であり、この場合には、基板２０は、透過性の基板でなくてもよいなど本発明の目的を逸脱しない範囲で種々の変更が可能である。
【図面の簡単な説明】
【０１５２】
【図１】図１は、本発明の表示板を、ソーラーセル（太陽電池）からなるソーラー発電装置を備えたソーラー腕時計に組み込んだ状態を説明する上面図である。
【図２】図２は、図１の部分拡大上面図である。
【図３】図３は、図２のA−A線での断面図である。
【図４】図４は、本発明の表示板の製造工程を説明する図３と同様な断面図である。
【図５】図５は、本発明の表示板の製造工程を説明する図３と同様な断面図である。
【図６】図６は、本発明の表示板の製造工程を説明する概略断面図である。
【図７】図７は、本発明の別の実施例の表示板の図３と同様な断面図である。
【図８】図８は、図７の部分拡大上面図である。
【図９】図９は、本発明の別の実施例の表示板の図３と同様な断面図である。
【図１０】図１０は、図９の表示板の製造工程を説明する図３と同様な断面図である。
【図１１】図１１は、従来の表示板の上面である。
【図１２】図１２は、図１１のＢ−Ｂ線での部分拡大断面図である。
【図１３】図１３は、図１１の窓枠部材１０８の斜視図である。
【符号の説明】
【０１５３】
１０   ソーラー腕時計
１１   時針
１２   ハウジング
１３   分針
１４   時計ケース
１５   針軸
１６   風防
１７   バンド取り付け部
１８   表示板
１９   カレンダー表示部
２０   基板
２１   下面
２２   窓枠開口部
２３   補助被覆層
２４   外周上面
２５   延設部
２６   接合層
２８   飾り窓
２９   飾り縁開口部
２９ａ 内壁面
３０   段部
３２   内壁
３４   被覆層
３６   窓枠
３８   傾斜面
４０   仮基板
４２   マスキング
４４   離型剤
４６   金属メッキ被膜
４８   粘着テープ
５０   接着剤
１００ 表示板
１０２ 基板
１０４ 窓枠開口部
１０６ 内壁
１０８ 窓枠部材
１１０ 貫通部
１１２ 突起部
【図１】
2008249497.tif 000003
【図２】
2008249497.tif 000004
【図３】
2008249497.tif 000005
【図４】
2008249497.tif 000006
【図５】
2008249497.tif 000007
【図６】
2008249497.tif 000008
【図７】
2008249497.tif 000009
【図８】
2008249497.tif 000010
【図９】
2008249497.tif 000011
【図１０】
2008249497.tif 000012
【図１１】
2008249497.tif 000013
【図１２】
2008249497.tif 000014
【図１３】
2008249497.tif 000015